(57)【要約】【課題】    幅方向に広がることができる布団カバーを提供する。【解決手段】    布団カバーＡは、掛け布団が収容され、幅Ｗ、丈Ｌ寸法の布団カバーＡであって、前記布団カバーの生地は、楊柳であり、前記楊柳のシボが前記丈の長手方向に沿って平行になるように構成されているものである。【選択図】    図１
0003111105.tif 000002
【実用新案登録請求の範囲】
【請求項１】
掛け布団が収容され、幅Ｗ、丈Ｌ寸法の布団カバーであって、
前記布団カバーの生地は、楊柳であり、
前記楊柳のシボが前記丈の長手方向に沿って平行になるように構成されていることを特徴とする布団カバー。
【請求項２】
敷き布団が収容され、幅Ｗ、丈Ｌ寸法の布団カバーであって、
前記布団カバーの生地は、楊柳であり、
前記楊柳のシボが前記丈の長手方向に沿って平行になるように構成されていることを特徴とする布団カバー。
【請求項３】
枕が収容され、幅ｗ、丈ｌ寸法の枕カバーであって、
前記枕カバーの生地は、楊柳であり、
前記楊柳のシボが前記丈の長手方向に沿って平行になるように構成されていることを特徴とする枕カバー。
【考案の詳細な説明】
【技術分野】
【０００１】
本考案は、布団カバー及び枕カバーに係り、特に、幅方向に広がることができる布団カバー及び枕カバーに関する。
【背景技術】
【０００２】
従来、布団カバーにあっては、掛け布団の幅、丈に合うものを選び、該掛け布団を覆うようにしている。
【考案の開示】
【考案が解決しようとする課題】
【０００３】
掛け布団は、その丈に比べ幅寸法が異なるものが種々あり、寸法をわづかに間違えて布団カバーを購入すると、装着できないという問題点があった。
本考案は、前記した問題点を除去するようにした布団カバー及び枕カバーを提供することを目的としている。
【課題を解決するための手段】
【０００４】
前記した目的を達成するための請求項１記載の布団カバーは、掛け布団が収容され、幅Ｗ、丈Ｌ寸法の布団カバーであって、前記布団カバーの生地は、楊柳であり、前記楊柳のシボが前記丈の長手方向に沿って平行になるように構成されているものである。
【０００５】
また、請求項２記載の布団カバーは、敷き布団が収容され、幅Ｗ、丈Ｌ寸法の布団カバーであって、前記布団カバーの生地は、楊柳であり、前記楊柳のシボが前記丈の長手方向に沿って平行になるように構成されているものである。
【０００６】
また、請求項３記載の枕カバーは、枕が収容され、幅ｗ、丈ｌ寸法の枕カバーであって、前記枕カバーの生地は、楊柳であり、前記楊柳のシボが前記丈の長手方向に沿って平行になるように構成されているものである。
【考案の効果】
【０００７】
請求項１記載の布団カバーによれば、平面視的に幅Ｗ、丈Ｌ寸法の布団カバーの生地は、楊柳であり、前記楊柳のシボ（しわのような縮れ）が前記丈の長手方向に沿って平行になるように構成されているため、収容される掛け布団の幅がある程度大きくても、幅方向に広がることにより対応することができる。
【０００８】
また、請求項２記載の布団カバーによれば、平面視的に幅Ｗ、丈Ｌ寸法の布団カバーの生地は、楊柳であり、前記楊柳のシボ（しわのような縮れ）が前記丈の長手方向に沿って平行になるように構成されているため、収容される敷き布団の幅がある程度大きくても、幅方向に広がることにより対応することができる。
【０００９】
また、請求項３記載の枕カバーによれば、平面視的に幅ｗ、丈ｌ寸法の枕カバーの生地は、楊柳であり、前記楊柳のシボ（しわのような縮れ）が前記丈の長手方向に沿って平行になるように構成されているため、収容される枕の幅がある程度大きくても、幅方向に広がることにより対応することができる。
【考案を実施するための最良の形態】
【００１０】
本考案の一実施例の布団カバーを図面を参照して説明する。
図１乃至図１０において、Ａは、掛け布団が収容される布団カバーで、布団カバーＡは、幅Ｗ、丈Ｌ寸法となっている。
布団カバーＡは、掛け布団１０（２０）を収容する開口部（窓）１、１を有し、掛け布団１０は、図７に示すように、開口部（窓）１より布団カバーＡ内に取り込まれ、布団カバーＡに収容されるようになっている。
なお、掛け布団１０（２０）の布団カバーＡ内への取り込まれる部位は、図１記載の開口部（窓）１に限らず、例えば、布団カバーＡの丈の一側面を開口して設けられた掛け布団１０（２０）の出し入れを許容する取り入れ口（図示せず）としても良く、また、布団カバーＡの幅の一側面を開口して設けられた掛け布団１０（２０）の出し入れを許容する取り入れ口（図示せず）としても良い。
【００１１】
布団カバーＡの生地は、楊柳（糸のよりと復元力を利用して縦方向に不規則な形のスジのようなシボ（しわのようなちぢれ）を出したさらっとした触感の素材）である。布団カバーＡにおいては、図１に示すように、楊柳のシボ（しわのような縮れ）が丈Ｌの長手方向に沿って平行になるように構成されている。
【００１２】
従って、図２の矢印の方向へ引っ張ると、図３及び図４の状態の繊維が図５及び図６の状態に示すように布団カバーＡの幅方向に延び、布団カバーＡにあっては、図９に示す掛け布団Ａの幅Ｗ1ばかりでなく図１０に示す掛け布団Ａの幅  Ｗ2  にも対応することができる。
【００１３】
上述した実施例は、掛け布団が収容される布団カバーについて、適用したが  、本考案にあっては、これに限らず、敷き布団が収容される布団カバーにも、また  、枕が収容される枕カバーにも同様に適用できるものである。
即ち、敷き布団が収容される布団カバーにあっては、敷き布団が収容され、幅Ｗ、丈Ｌ寸法の布団カバーであって、前記布団カバーの生地は、楊柳であり、前記楊柳のシボ（しわのような縮れ）が前記丈の長手方向に沿って平行になるように構成されるものである。
また、枕が収容される枕カバーにあっては、枕が収容され、平面視的に幅ｗ  、丈ｌ寸法の枕カバーであって、前記枕カバーの生地は、楊柳であり、前記楊柳のシボ（しわのような縮れ）が前記丈の長手方向に沿って平行になるように構成されるものである。
【図面の簡単な説明】
【００１４】
【図１】図１は、本考案の一実施例である布団カバーの概略的斜視図である。
【図２】図２は、図１の布団カバーを布団カバーの幅方向へ引っ張っている状態の概略的斜視図である。
【図３】図３は、図１の布団カバーの概略的断面図である。
【図４】図４は、図３の一部を拡大して示す概略的一部拡大断面図である。
【図５】図５は、図３の布団カバーを幅方向へ引っ張っている状態の概略的断面図である。
【図６】図６は、図５の一部を拡大して示す概略的一部拡大断面図である。
【図７】図７は、図１の布団カバーに掛け布団を収容する状態の概略的斜視図である  。
【図８】図８は、図１の布団カバーに掛け布団を収容した状態の概略的斜視図である
【図９】図９は、図１の布団カバーに幅が狭い掛け布団を収容した状態の概略的断面図である。
【図１０】図１０は、図１の布団カバーに幅が広い掛け布団を収容した状態の概略的断面図である。
【符号の説明】
【００１５】
Ａ…布団カバー
【図１】
0003111105.tif 000003
【図２】
0003111105.tif 000004
【図３】
0003111105.tif 000005
【図４】
0003111105.tif 000006
【図５】
0003111105.tif 000007
【図６】
0003111105.tif 000008
【図７】
0003111105.tif 000009
【図８】
0003111105.tif 000010
【図９】
0003111105.tif 000011
【図１０】
0003111105.tif 000012